(57)【要約】【課題】  設備が設置等されている現場にて設備の温度特性などを把握したうえで過熱異常を診断することができる過熱診断装置を提供する。【解決手段】  診断対象物Ｆｍの熱画像Ｐ１を撮影するサーモカメラ部２と、サーモカメラ部２によって撮影された熱画像Ｐ１を表示するとともに診断対象物Ｆｍの種別情報を入力する表示・入力部７と、種別情報ごとの温度特性を記憶したデータベース５と、表示・入力部７によって入力された種別情報に基づいてデータベース５から取得した温度特性と、熱画像Ｐ１上の指定された測定温度とに基づいて、過熱異常を診断する診断プログラム９と、診断プログラム９による診断結果を出力する出力部１０とを備える。【選択図】  図１
2008045888.tif 000002
【特許請求の範囲】
【請求項１】
診断対象物の温度分布を熱画像として撮影して、前記診断対象物の過熱異常を診断する過熱診断装置であって、
前記診断対象物の熱画像を撮影する熱画像撮影手段と、
前記熱画像撮影手段によって撮影された熱画像を表示する表示手段と、
前記診断対象物の種別情報を入力する種別情報入力手段と、
前記種別情報ごとの温度特性を記憶した温度特性記憶手段と、
前記種別情報入力手段によって入力された種別情報に基づいて前記温度特性記憶手段から取得した温度特性と、前記熱画像上の指定された測定温度とに基づいて、過熱異常を診断する診断手段と、
前記診断手段による診断結果を出力する診断結果出力手段と、
を備えたことを特徴とする過熱診断装置。
【請求項２】
前記診断結果出力手段は、前記診断結果を前記熱画像上の指定された箇所に表示することを特徴とする請求項１に記載の過熱診断装置。
【請求項３】
前記診断対象物の環境条件を入力する環境条件入力手段を備え、
前記診断手段は、前記温度特性と、前記測定温度と、前記環境条件入力手段によって入力された環境条件とに基づいて、過熱異常を診断することを特徴とする請求項１または２のいずれか１項に記載の過熱診断装置。
【請求項４】
前記熱画像と前記診断結果とを通信網に送信する送信手段を備えたことを特徴とする請求項１から３のいずれか１項に記載の過熱診断装置。
【請求項５】
前記診断対象物の写真画像を撮影する写真画像撮影手段と、
同時に撮影された前記熱画像と前記写真画像とを合成して合成画像を作成する合成画像作成手段と、を備え、
前記表示手段に、前記合成画像作成手段によって作成された合成画像を表示し、
前記診断手段は、前記合成画像上の指定された測定温度に基づいて、過熱異常を診断することを特徴とする請求項１から４のいずれか１項に記載の過熱診断装置。
【発明の詳細な説明】
【技術分野】
【０００１】
本発明は、電力ケーブルや遮断器などの診断対象物の熱画像を撮影して、過熱異常を診断する過熱診断装置に関する。
【背景技術】
【０００２】
電力ケーブルや遮断器などの設備が過熱（異常温度上昇）すると、当該設備が損傷するばかりでなく、他の設備などに熱影響を与えるおそれがあるため、各種設備の温度を定期的あるいは必要に応じて測定し、設備の過熱異常を監視、診断する必要がある。そして、設備の各部の温度を、設備の温度分布を示す熱画像から一目で把握できるという利点から、温度測定に赤外線サーモグラフなどの熱画像装置が使用される場合がある（例えば、特許文献１参照。）。
【特許文献１】特開２００４−３７２７６号公報
【発明の開示】
【発明が解決しようとする課題】
【０００３】
ところで、熱画像に基づいて設備の過熱異常を適正に診断するには、設備の温度特性などを把握したうえで、過熱異常を診断する必要がある。すなわち、設備が設置等されている環境下における許容温度などを把握し、熱画像中における各部の温度が許容温度以下であるか否かなどを判断して、診断する必要がある。しかしながら、設備が設置等されている現場において設備の温度特性など知得することは困難であり、しかも、電力ケーブルや遮断器などが多く設置等されている電力施設などでは、それぞれの温度特性などを知得することはきわめて困難であった。このため、現場にてすべての必要な熱画像を撮影した後に、各設備の温度特性などを記した資料が保管されているところにて、資料と熱画像とに基づいて過熱異常を診断する、という方法が採られており、時間と労力とを要していた。さらに、現場にて設備や設置環境を確認しながら診断することができないために、適正な診断が行えない、あるいは診断にバラツキが生じるおそれがあった。
【０００４】
そこで本発明は、設備が設置等されている現場にて設備の温度特性などを把握したうえで過熱異常を診断することができる過熱診断装置を提供することを目的とする。
【課題を解決するための手段】
【０００５】
上記目的を達成するために請求項１に記載の発明は、診断対象物の温度分布を熱画像として撮影して、前記診断対象物の過熱異常を診断する過熱診断装置であって、前記診断対象物の熱画像を撮影する熱画像撮影手段と、前記熱画像撮影手段によって撮影された熱画像を表示する表示手段と、前記診断対象物の種別情報を入力する種別情報入力手段と、前記種別情報ごとの温度特性を記憶した温度特性記憶手段と、前記種別情報入力手段によって入力された種別情報に基づいて前記温度特性記憶手段から取得した温度特性と、前記熱画像上の指定された測定温度とに基づいて、過熱異常を診断する診断手段と、前記診断手段による診断結果を出力する診断結果出力手段と、を備えたことを特徴としている。
（作用）
熱画像撮影手段によって熱画像が撮影されると、熱画像が表示手段に表示される。また、種別情報入力手段によって診断対象物の種別情報が入力されるとともに、熱画像上の測定温度が指定されると、温度特性記憶手段から取得された診断対象物の温度特性と指定された測定温度とに基づいて、診断手段によって過熱異常が診断される。そして、その診断結果が診断結果出力手段によって出力される。
【０００６】
請求項２に記載の発明は、請求項１に記載の過熱診断装置において、前記診断結果出力手段は、前記診断結果を前記熱画像上の指定された箇所に表示することを特徴としている。
【０００７】
請求項３に記載の発明は、請求項１または２のいずれか１項に記載の過熱診断装置において、前記診断対象物の環境条件を入力する環境条件入力手段を備え、前記診断手段は、前記温度特性と、前記測定温度と、前記環境条件入力手段によって入力された環境条件とに基づいて、過熱異常を診断することを特徴としている。
（作用）
環境条件入力手段によって診断対象物の環境条件が入力されると、診断対象物の温度特性と、環境条件と、指定された測定温度とに基づいて、診断手段によって過熱異常が診断される。
【０００８】
請求項４に記載の発明は、請求項１から３のいずれか１項に記載の過熱診断装置において、前記熱画像と前記診断結果とを通信網に送信する送信手段を備えたことを特徴としている。
【０００９】
請求項５に記載の発明は、請求項１から４のいずれか１項に記載の過熱診断装置において、前記診断対象物の写真画像を撮影する写真画像撮影手段と、同時に撮影された前記熱画像と前記写真画像とを合成して合成画像を作成する合成画像作成手段と、を備え、前記表示手段に、前記合成画像作成手段によって作成された合成画像を表示し、前記診断手段は、前記合成画像上の指定された測定温度に基づいて、過熱異常を診断することを特徴としている。
（作用）
熱画像撮影手段によって撮影された熱画像と、同時に写真画像撮影手段によって撮影された写真画像とが、合成画像作成手段によって合成されて合成画像となり、この合成画像が表示手段に表示される。また、合成画像上の指定された測定温度と、診断対象物の温度特性などに基づいて、診断手段によって過熱異常が診断される。
【発明の効果】
【００１０】
請求項１に記載の発明によれば、診断対象物の熱画像を撮影する現場、つまり診断対象物が設置等されている現場において、診断対象物の温度特性を把握したうえで過熱異常を診断することができる。すなわち、現場にて熱画像を撮影するとともに、診断対象物の種別情報を入力して熱画像上の測定温度を指定することで、診断対象物の温度特性と指定された測定温度とに基づいて、過熱異常が診断される。このため、従来のように熱画像を撮影した後に、温度特性などを記した資料に基づいて過熱異常を診断する必要がなく、時間と労力とを軽減できる。しかも、現場にて診断対象物などを確認しながら種別情報を入力したり、測定温度を指定したりでき、かつ人の判断（診断）によらないため、適正かつ安定した診断を行うことができる。
【００１１】
請求項２に記載の発明によれば、診断結果が熱画像上の指定された箇所に表示されるため、当該診断対象物の当該箇所の診断結果を一目で把握することができる。
【００１２】
請求項３に記載の発明によれば、診断対象物の環境条件にも基づいて過熱異常が診断されるため、環境条件に合ったより適正な診断結果を得ることができる。
【００１３】
請求項４に記載の発明によれば、送信手段によって熱画像と診断結果とを診断対象物を所有する診断対象会社などに送信することができる。このため、例えば、診断対象会社などが本過熱診断装置を有していない場合であっても、熱画像と診断結果とを知得することが可能となる。
【００１４】
請求項５に記載の発明によれば、熱画像と写真画像とが合成された合成画像が表示手段に表示されるため、診断対象物の過熱位置などを正確に把握することができる。すなわち、熱画像のみでは診断対象物の全体の輪郭や細部などを正確に把握することが困難であるが、写真画像が合成された合成画像であれば診断対象物の細部などを正確に把握することができるとともに、熱画像が合成された合成画像であれば過熱位置などを正確に特定することができる。そして、このような合成画像上の指定された測定温度に基づいて過熱異常が診断されるため、正確な診断結果を得ることが可能となる。
【発明を実施するための最良の形態】
【００１５】
以下、この発明を図示の実施の形態に基づいて説明する。
【００１６】
図１は、この発明の実施の形態に係る過熱診断装置１の概略構成ブロック図であり、図２は、過熱診断装置１の外観を示す平面図である。この過熱診断装置１は、診断対象物Ｆｍの温度分布を熱画像Ｐ１として撮影して、診断対象物Ｆｍの過熱異常を診断する装置であって、主として、サーモカメラ部２と、デジカメ部３と、合成部４と、データベース５と、メモリ６と、表示・入力部７と、通信部８と、診断プログラム９と、出力部１０と、これらを制御などする処理制御部１１とを備えている。
【００１７】
サーモカメラ部２は、診断対象物Ｆｍの熱画像Ｐ１を撮影する熱画像撮影手段であって、通常の赤外線サーモグラフ（サーモカメラ）の撮影部と同様の機能、構成となっている。すなわち、診断対象物Ｆｍから放出される赤外線放射エネルギーを検出して温度に変換し、診断対象物Ｆｍの温度分布を表す図３に示すような熱画像Ｐ１を撮影（形成）するものである。また、熱画像Ｐ１を撮影するには、温度変化を色変化（グラデーション）で表す温度色レベルＰ２を予め設定する必要がある。例えば、診断対象物Ｆｍの高温部分（過熱部分）が赤系色となり、低温部分が青系色になるように、温度と色との関係を設定する。
【００１８】
デジカメ部３は、診断対象物Ｆｍの写真画像Ｐ３を撮影する写真画像撮影手段であって、通常のデジタルカメラの撮影部と同様の機能、構成となっている。すなわち、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの光に反応する半導体素子を備え、映像を電気信号に変換してデジタルデータとして図４に示すような写真画像Ｐ３を撮影（形成）するものである。また、サーモカメラ部２とデジカメ部３とは、１つのシャッター（スイッチ）で起動し、シャッターを押下すると、同時に熱画像Ｐ１と写真画像Ｐ３とが撮影されるようになっている。
【００１９】
合成部４は、同時に撮影された熱画像Ｐ１と写真画像Ｐ３とを合成して合成画像Ｐ４を作成する合成画像作成手段である。すなわち、この実施の形態では、熱画像Ｐ１と写真画像Ｐ３とを重ね合わせて、図５に示すような合成画像Ｐ４を作成する。そして、合成画像Ｐ４中の熱画像Ｐ１によって高温部や低温部などが明確となり、同時に、合成画像Ｐ４中の写真画像Ｐ３によって、診断対象物Ｆｍの全体の輪郭や細部などが明確になるものである。
【００２０】
データベース５は、診断対象物Ｆｍの種別情報ごとの許容温度（温度特性）を記憶したメモリ（温度特性記憶手段）であり、図６に示すようなデータ構成となっている。まず、第１のデータレイヤ５１には、電力ケーブル、変圧器、遮断器など診断対象物Ｆｍの種類が記憶され、第２のデータレイヤ５２には、診断対象物Ｆｍの種類ごとのメーカ名、メーカ１〜ｎが記憶されている。さらに、第３のデータレイヤ５３には、メーカ１〜ｎごとの型式名、型式１〜ｎが記憶され、第４のデータレイヤ５４には、型式１〜ｎごとの許容温度が記憶されている。ここで、許容温度とは、上限温度と下限温度とを含むものとする。このように、診断対象物Ｆｍの種別情報は、診断対象物Ｆｍの種類とメーカ名と型式名とから構成されている。ところで、このようなデータベース５は、ＲＯＭ（Ｒｅａｄ  Ｏｎｌｙ  Ｍｅｍｏｒｙ）などで構成してもよいが、外部から着脱可能なメモリカードなどで構成してもよい。そして、メモリカードなどの場合には、診断対象物Ｆｍを有する診断対象施設Ｆの種類などに応じたデータ内容のメモリカードなど装着することで、複数種の診断対象施設Ｆに対応できるものである。
【００２１】
メモリ６は、撮影した熱画像Ｐ１や写真画像Ｐ３、あるいは合成した合成画像Ｐ４などを記憶する記憶媒体であり、この実施の形態では、メモリカードで構成されている。
【００２２】
表示・入力部７は、合成画像Ｐ４や操作メニュなどを表示するディスプレイ（表示手段）と、診断対象物Ｆｍの種別情報や環境条件などを入力する入力器（種別情報入力手段、環境条件入力手段）としての機能を備え、タッチパネルで構成されている。すなわち、この実施の形態では、シャッターを押下する前には、図３に示すように、熱画像Ｐ１と温度色レベルＰ２とが表示・入力部７に表示され、シャッターを押下すると、図５に示すように、上記のようにして作成された合成画像Ｐ４と温度色レベルＰ２とが表示・入力部７に表示される。また、診断対象物Ｆｍの種別情報を入力する操作画面（診断操作メニュの一部）においては、まずデータベース５に記憶された診断対象物Ｆｍの種類が表示され、タッチペン（図示せず）などで診断対象物Ｆｍの種類を指定すると、当該種類のメーカ１〜ｎが表示される。続いて、メーカ１〜ｎを指定すると、当該メーカの型式１〜ｎが表示され、型式１〜ｎを指定することで、種別情報が入力されるようになっている。
【００２３】
同様に、診断対象物Ｆｍが設置されている環境条件を入力する操作画面（診断操作メニュの一部）においては、診断対象物Ｆｍの周囲温度および周囲湿度の入力枠と、「▲▼」（上下キー）とが表示される。そして、周囲温度または周囲湿度を指定して、「▲」または「▼」を指定（押下）することで、周囲温度および周囲湿度が入力されるようになっている。また、合成画像Ｐ４が表示されている状態で、合成画像Ｐ４上の診断対象物Ｆｍのある箇所を指定すると、その箇所の測定温度が表示される。そして、診断操作メニュにおいて合成画像Ｐ４上の診断対象物Ｆｍのある箇所を指定すると、後述するように、診断プログラム９によって、指定された箇所の測定温度などに基づいて、過熱異常が診断される（診断プログラム９に測定温度がパラメータ渡しされる）ようになっている。
【００２４】
通信部（送信手段）８は、無線通信のための無線ユニットから構成され、合成画像Ｐ４（熱画像）や後述する診断結果などを、通信網Ｎを介して後述するセンタサーバＣ１などに送信するものである。
【００２５】
診断プログラム９は、指定された診断対象物Ｆｍの許容温度と、合成画像Ｐ４上の指定された測定温度と、診断対象物Ｆｍの環境条件とに基づいて、診断対象物Ｆｍの過熱異常を診断するプログラム（診断手段）であり、図７に示すフローチャートに基づいている。まず、上記のようにして表示・入力部７によって入力された種別情報に基づいて、診断対象物Ｆｍの許容温度をデータベース５から取得する（ステップＳ１）とともに、上記のようにして合成画像Ｐ４上で指定された箇所の測定温度を取得する（ステップＳ２）。さらに、表示・入力部７によって入力された診断対象物Ｆｍの周囲温度と周囲湿度（環境条件）を取得する（ステップＳ３）。次に、当該測定温度が当該診断対象物Ｆｍの許容温度内であるか否かを判断し（ステップＳ４）、許容温度内である場合には、過熱異常なしと診断する（ステップＳ５）。
【００２６】
一方、当該測定温度が許容温度外である場合には、周囲環境（環境条件）が異常であるか否かを判断する（ステップＳ６）。例えば、周囲温度が高温であり、当該測定温度が周囲温度に近い場合には、周囲環境が異常であると判断する。また、異常な周囲環境と診断対象物Ｆｍの異常温度上昇との関係が判明しており、例えば、周囲温度が高温になると蓄電池（診断対象物Ｆｍ）が熱逸走（異常温度上昇）することが判明しており、そのような異常な周囲環境である場合には、周囲環境が異常であると判断する。その結果、周囲環境が異常でない場合には、診断対象物Ｆｍが過熱異常であると診断し（ステップＳ７）、周囲環境が異常である場合には、周囲環境が異常であるために診断対象物Ｆｍが過熱異常であると診断する（ステップＳ８）。そして、このような診断結果をメモリ６に記憶する（ステップＳ９）ものである。ところで、この実施の形態では、合成画像Ｐ４上で指定された箇所の測定温度に基づいて過熱異常を診断しているが、合成画像Ｐ４上の最高温度を指定された測定温度として、過熱異常を診断するようにしてもよい。これにより、常に、最高温度に対する過熱異常が診断されることになる。
【００２７】
出力部１０は、診断プログラム９による診断結果を出力する診断結果出力手段であり、この実施の形態では、図８に示すように、合成画像Ｐ４上で指定された箇所に診断結果を表示する。すなわち、指定された箇所の測定温度と、診断対象物Ｆｍの許容温度と、診断結果とを、合成画像Ｐ４上で指定された箇所に表示するものである。
【００２８】
次に、このような構成の過熱診断装置１の作動と、過熱診断装置１を使用して過熱診断する手順などについて、図９に示すフローチャートに基づいて説明する。ここで、この実施の形態では、図１０に示すように、変圧器、遮断器、分電盤や高圧ケーブルなどの診断対象物Ｆｍが診断対象施設Ｆに配設され、診断対象施設Ｆを所有する診断対象会社と、過熱診断を行う診断会社Ｃとは、別会社であるとする。
【００２９】
まず、診断会社Ｃの診断者Ｍが診断対象施設Ｆに行き、診断対象物Ｆｍを過熱診断装置１によって撮影する（ステップＳ１１）。すなわち、診断対象物Ｆｍの撮影箇所を表示・入力部７で確認し、シャッターを押下すると、上記のようにして、サーモカメラ部２によって熱画像Ｐ１が撮影されると同時に、デジカメ部３によって写真画像Ｐ３が撮影される。そして、合成部４によって、熱画像Ｐ１と写真画像Ｐ３とが合成されて合成画像Ｐ４が撮影（作成）される。次に、合成画像Ｐ４が表示・入力部７に表示された状態（診断操作メニュ）で、合成画像Ｐ４上の診断対象物Ｆｍのある箇所を指定、つまり測定温度を指定し（ステップＳ１２）、続いて、上記のようにして診断対象物Ｆｍの種別情報（ステップＳ１３）と環境条件（ステップＳ１４）とを入力する。
【００３０】
これにより診断プログラム９が起動され（ステップＳ１５）、上記のようにして過熱異常が診断される。その診断結果は、出力部１０によって、上記のように、合成画像Ｐ４上で指定された箇所に表示され（ステップＳ１６）、合成画像Ｐ４と診断結果と温度色レベルＰ２など（図８に示す画像データ）が、診断データとしてメモリ６に記憶される（ステップＳ１７）。そして、診断すべきすべての診断対象物Ｆｍに対する診断が終了していない場合（ステップＳ１８で「Ｎ」の場合）には、ステップＳ１１に戻り、次の診断対象物Ｆｍに対して同様の処理（ステップＳ１１〜Ｓ１７）を繰り返す。一方、すべての診断対象物Ｆｍに対する診断が終了した場合（ステップＳ１８で「Ｙ」の場合）には、メモリ６に記憶されている上記の診断データを診断会社ＣのセンタサーバＣ１に送信する（ステップＳ１９）。すなわち、表示・入力部７で送信操作を行うと、メモリ６に記憶された診断データが診断対象施設Ｆの識別情報とともに、通信部８によってセンタサーバＣ１に送信される。
【００３１】
センタサーバＣ１は、診断対象施設Ｆごとに診断データなどを記憶する診断データベースＣ２を備え、過熱診断装置１から診断データなどを受信すると、診断対象施設Ｆの識別情報に基づいて診断データベースＣ２を更新（アップデート）する。一方、診断対象会社などは、クライアントコンピュータなどを使用して、通信網Ｎを介してセンタサーバＣ１にアクセスすることで、上記のような診断データなどを閲覧できるものである。
【００３２】
以上のように、この過熱診断装置１によれば、診断対象物Ｆｍの合成画像Ｐ４を撮影する現場、つまり診断対象物Ｆｍが設置等されている現場において、診断対象物Ｆｍの許容温度を把握したうえで過熱異常を診断することができる。すなわち、現場にて合成画像Ｐ４を撮影するとともに、合成画像Ｐ４上の診断対象物Ｆｍのある箇所を指定して診断対象物Ｆｍの種別情報と環境条件とを入力することで、その場で過熱異常が診断される。このため、従来のように熱画像Ｐ１などを撮影した後に、温度特性などを記した資料に基づいて過熱異常を診断する必要がなく、時間と労力とを軽減できる。しかも、現場にて診断対象物Ｆｍなどを確認しながら種別情報や環境条件を入力したり、測定温度を指定したりでき、かつ人の判断（診断）によらないため、適正かつ安定した診断を行うことができる。さらに、診断対象物Ｆｍの環境条件にも基づいて過熱異常が診断されるため、環境条件に合ったより適正な診断結果を得ることができる。
【００３３】
また、熱画像Ｐ１と写真画像Ｐ３とが合成された合成画像Ｐ４が表示・入力部７に表示されるため、診断対象物Ｆｍの過熱位置などを正確に把握することができる。すなわち、熱画像Ｐ１のみでは診断対象物Ｆｍの全体の輪郭や細部などを正確に把握することが困難であるが、写真画像Ｐ３が合成された合成画像Ｐ４であれば診断対象物Ｆｍの細部などを正確に把握することができるとともに、熱画像Ｐ１が合成された合成画像Ｐ４であれば過熱位置などを正確に特定することができる。そして、このような合成画像Ｐ４上で指定された測定温度に基づいて過熱異常が診断されるため、正確な診断結果を得ることが可能となる。
【００３４】
一方、診断結果が合成画像Ｐ４上の指定された箇所に表示されるため、当該診断対象物Ｆｍの指定された箇所の診断結果を一目で把握することができる。また、通信部８によって診断データがセンタサーバＣ１に送信され、診断データベースＣ２を更新される。このため、例えば、診断対象会社などが本過熱診断装置１やドライバプログラムを所有していない場合であっても、センタサーバＣ１にアクセスすることで、合成画像Ｐ４や診断結果などを知得することが可能となる。
【００３５】
以上、この発明の実施の形態について説明したが、具体的な構成は、この実施の形態に限られるものではなく、この発明の要旨を逸脱しない範囲の設計の変更等があっても、この発明に含まれる。例えば、この実施の形態では、合成部４において、熱画像Ｐ１と写真画像Ｐ３とを重ね合わせて合成画像Ｐ４を作成しているが、熱画像Ｐ１と写真画像Ｐ３とを並列に配設した合成画像を作成するようにしてもよい。また、診断対象物Ｆｍの許容温度（温度特性）を、周囲温度や周囲湿度、あるいはこれら以外の環境条件に応じて細分化してもよく、診断プログラム９で過熱異常と診断された場合に、アラーム音を発するようにしてもよい。さらに、デジカメ部３を備えずに熱画像Ｐ１のみで診断するようにしてもよく、表示・入力部７をディスプレイと入力器（キーパッドなど）とに分けてもよく、変圧器や遮断器などの電気機器以外の診断対象物Ｆｍにも適用できることは勿論である。
【図面の簡単な説明】
【００３６】
【図１】この発明の実施の形態に係る過熱診断装置の概略構成ブロック図である。
【図２】図１の過熱診断装置の外観を示す平面図である。
【図３】この発明の実施の形態における診断対象物としての高圧ケーブルの熱画像と温度色レベルの一例を示す図である。
【図４】この発明の実施の形態における診断対象物としての高圧ケーブルの写真画像の一例を示す図である。
【図５】この発明の実施の形態における診断対象物としての高圧ケーブルの合成画像と温度色レベルの一例を示す図である。
【図６】図１の過熱診断装置におけるデータベースのデータ構成を示す図である。
【図７】図１の過熱診断装置における診断プログラムのフローチャートである。
【図８】図１の過熱診断装置による診断結果の表示の一例を示す図である。
【図９】図１の過熱診断装置を使用して過熱診断する手順などを示すフローチャートである。
【図１０】この発明の実施の形態における診断対象物と診断会社などとの関係を示す図である。
【符号の説明】
【００３７】
１          過熱診断装置
２          サーモカメラ部（熱画像撮影手段）
３          デジカメ部（写真画像撮影手段）
４          合成部（合成画像作成手段）
５          データベース（温度特性記憶手段）
６          メモリ
７          表示・入力部（表示手段、種別情報入力手段、環境条件入力手段）
８          通信部（送信手段）
９          診断プログラム（診断手段）
１０        出力部（診断結果出力手段）
１１        処理制御部
Ｐ１        熱画像
Ｐ２        温度色レベル
Ｐ３        写真画像
Ｐ４        合成画像
Ｃ          診断会社
Ｃ１        センタサーバ
Ｃ２        診断データベース
Ｍ          診断者
Ｆ          診断対象施設
Ｆｍ        診断対象物
Ｎ          通信網
【図１】
2008045888.tif 000003
【図４】
2008045888.tif 000004
【図６】
2008045888.tif 000005
【図７】
2008045888.tif 000006
【図９】
2008045888.tif 000007
【図１０】
2008045888.tif 000008
【図２】
2008045888.tif 000009
【図３】
2008045888.tif 000010
【図５】
2008045888.tif 000011
【図８】
2008045888.tif 000012